(57)【要約】【課題】電池の外部の電源を利用する必要がなく、より長期間セルバランスの調整が行える制御装置等の提供。【解決手段】制御装置は、第一の信号により、二次電池の第一のセルの負極である第一の負極と、前記二次電池の第二のセルの正極である第二の正極との間を導通及び絶縁させ得る、第一のスイッチに対し、前記第一の負極と前記第二の正極との間を絶縁させる前記第一の信号を送付すると共に、第二の信号により、前記第一のセルの正極である第一の正極と前記第二の正極との間を導通及び絶縁させ得る第二のスイッチに対し、前記第一の正極と前記第二の正極とを導通させる前記第二の信号を送付すると共に、第三の信号により、前記第二のセルの負極である第二の負極と前記第一の負極との間を導通及び絶縁させ得る、第三のスイッチに対し、前記第一の負極と前記第二の負極とを導通させる前記第三の信号を送付する。【選択図】      図１
2018182961.tif 000002
【特許請求の範囲】
【請求項１】
第一の信号により、二次電池の第一のセルの負極である第一の負極と、前記二次電池の第二のセルの正極である第二の正極との間を導通及び絶縁させ得る、第一のスイッチに対し、前記第一の負極と前記第二の正極との間を絶縁させる前記第一の信号を送付すると共に、
第二の信号により、前記第一のセルの正極である第一の正極と前記第二の正極との間を導通及び絶縁させ得る第二のスイッチに対し、前記第一の正極と前記第二の正極とを導通させる前記第二の信号を送付すると共に、
第三の信号により、前記第二のセルの負極である第二の負極と前記第一の負極との間を導通及び絶縁させ得る、第三のスイッチに対し、前記第一の負極と前記第二の負極とを導通させる前記第三の信号を送付する、制御装置。
【請求項２】
前記第一の負極と前記第一の正極との間を絶縁させる前記第一の信号と、前記第一の正極と前記第二の正極とを導通させる前記第二の信号と、前記第一の負極と前記第二の負極とを導通させる前記第三の信号とを、略同時に送付する、請求項１に記載された制御装置。
【請求項３】
前記第二の信号と前記第三の信号とが共通である、請求項１又は請求項２に記載された制御装置。
【請求項４】
前記第二の信号又は前記第三の信号の前記第一の信号への変換を行い、前記変換を行った信号を前記第一のスイッチに入力する、請求項１乃至請求項３のうちのいずれか一に記載された制御装置。
【請求項５】
前記第一の負極と前記第一の正極との間を導通させる前記第一の信号を前記第一のスイッチに送付すると共に、前記第一の正極と前記第二の正極とを切断させる前記第二の信号を前記第二のスイッチに送付すると共に、前記第一の負極と前記第二の負極とを導通させる前記第三の信号を前記第三のスイッチに送付する、請求項１乃至請求項４のうちのいずれか一に記載された制御装置。
【請求項６】
前記第一の負極と前記第一の正極との間を導通させる前記第一の信号と、前記第一の正極と前記第二の正極とを絶縁させる前記第二の信号と、前記第一の負極と前記第二の負極とを絶縁させる前記第三の信号とを、略同時に送付する、請求項５に記載された制御装置。
【請求項７】
前記二次電池の備える三個以上のセルからの、前記第一のセルと前記第二のセルとの選択を行う、請求項６に記載された制御装置。
【請求項８】
前記三個以上のセルから選択した、前記第一のセルと前記第二のセルとの第一の組合せと、前記第一のセルと前記第二のセルとの第二の組合せと、の各々について、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、請求項７に記載された制御装置。
【請求項９】
前記三個以上のセルから選択した、接続経路上において隣り合う前記第一のセルと前記第二のセルとの組合せの各々について、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、請求項７又は請求項８に記載された制御装置。
【請求項１０】
前記三個以上のセルから選択した、接続経路上において最も離れた前記第一のセルと前記第二のセルとの組合せについて、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、請求項７乃至請求項９のうちのいずれか一に記載された制御装置。
【発明の詳細な説明】
【技術分野】
【０００１】
本発明は、二次電池のセルバランスの調整に関する。
【背景技術】
【０００２】
リチウムイオン電池等を構成する直列接続されたセルの各々の蓄電量は、温度や湿度等の動作環境や製造誤差等によりばらつきが生じ得る。このばらつきは、各セルの能力を十分に生かせなくすると共に、各セルの劣化速度に差を生じさせる。このばらつきは、さらに、直列接続をしたセルの一部に劣化が進んだ状態で使用を継続した場合に、過充電や過放電による加熱等により、危険な状況を生じさせる。そのため、リチウムイオン電池等においてセルを直列接続する場合は、各セルの蓄電量のバランス（セルバランス）を調整することが不可欠である。
【０００３】
特許文献１は、セルと並列に接続される電圧保持装置を有し、直列接続されて隣接しているセルと前記電圧保持装置との間に並列接続を形成しながらスイッチの切替えを一方向に順次走査するセルバランス調整回路を開示する。
【０００４】
また、特許文献２は、組電池を構成する個別電池対応の直流電源と、直流電源を組電池の充電のために直列に接続するか又は個別電池の充電のために該個別電池対応に接続するかを切り替えるスイッチ回路を備える充放電装置を開示する。
【０００５】
また、特許文献３は、外部電源の電源電圧に応じて、外部電源接続部の端子間に対する各二次電池の接続状態を切り換えて、組電池を構成する各二次電池の端子間電圧を可変とさせる充放電制御システムを開示する。
【先行技術文献】
【特許文献】
【０００６】
【特許文献１】特開２００１−１７８００８号公報
【特許文献２】特開２０００−１９７２７３号公報
【特許文献３】特開２００６−１８７１１３号公報
【発明の概要】
【発明が解決しようとする課題】
【０００７】
しかしながら、特許文献１が開示するセルバランス調整回路は、セルバランスを調整するための電圧保持装置として、コンデンサや二次電池が必要となる。また、このセルバランス調整回路は、バランスを調整するために使用される電圧保持装置の充放電回数が多い。従い、このセルバランス調整回路は、電圧保持装置の寿命がセルバランス調整の対象である各セルと比較して短い。そのため、このセルバランス調整回路は寿命が短い。
【０００８】
一方、特許文献２及び３が開示する方法は、各セルの充電を行うために電池外部の直流電源を接続する必要がある。そのため、特許文献２及び３が開示する方法は、電池の外部の直流電源が利用できない環境においては、セルバランスの調整が行えないという課題がある。
【０００９】
本発明は、電池外部の電源を利用する必要がなく、より長期間セルバランスの調整を行い得る制御装置等の提供を目的とする。
【課題を解決するための手段】
【００１０】
本発明の制御装置は、第一の信号により、二次電池の第一のセルの負極である第一の負極と、前記二次電池の第二のセルの正極である第二の正極との間を導通及び絶縁させ得る、第一のスイッチに対し、前記第一の負極と前記第二の正極との間を絶縁させる前記第一の信号を送付すると共に、第二の信号により、前記第一のセルの正極である第一の正極と前記第二の正極との間を導通及び絶縁させ得る第二のスイッチに対し、前記第一の正極と前記第二の正極とを導通させる前記第二の信号を送付すると共に、第三の信号により、前記第二のセルの負極である第二の負極と前記第一の負極との間を導通及び絶縁させ得る、第三のスイッチに対し、前記第一の負極と前記第二の負極とを導通させる前記第三の信号を送付する。
【発明の効果】
【００１１】
本発明の制御装置等は、電池外部の電源を利用する必要がなく、より長期間セルバランスの調整を行い得る。
【図面の簡単な説明】
【００１２】
【図１】第一実施形態の二次電池の構成例を表す概念図である。
【図２】電気的接続状態を表す図（その１）である。
【図３】電気的接続状態を表す図（その２）である。
【図４】第二実施形態の二次電池の構成例を表す概念図である。
【図５】電気的接続状態を表す図（その３）である。
【図６】電気的接続状態を表す図（その５）である。
【図７】第二実施形態の二次電池の制御部が行う処理の処理フロー例を表す概念図である。
【図８】各セルの出力電圧を表す表（その１）である。
【図９】各セルの出力電圧を表す表（その２）である。
【図１０】各セルの出力電圧を表す表（その３）である。
【図１１】各セルの出力電圧のばらつきを表す表である。
【図１２】制御装置の最小限の構成を表すブロック図である。
【発明を実施するための形態】
【００１３】
＜第一実施形態＞
第一実施形態は、セルを二つ備える二次電池についての実施形態である。
［構成と動作］
図１は、第一実施形態の二次電池の例である、二次電池１０１の構成を表す概念図である。図１には、二次電池１０１以外に負荷５０１を表してある。
【００１４】
二次電池１０１は、負荷５０１に電力を供給するためのものである。
【００１５】
二次電池１０１は、制御部１０６と、ＳＷ１１１ａ、１１２ａ、１１３ａ及び１１４ａと、インバータ１１６ａと、インピーダンス素子１１５ａ及び１１７ａと、セルＣＥ１及びＣＥ２とを備える。ここで、ＳＷは、スイッチ（ｓｗｉｔｃｈ）を意味する。
【００１６】
なお、図１に表す経路のうち破線で表す経路は、制御部１０６から各ＳＷに送られる、ＳＷをオン又はオフする制御信号の経路を表す。ここで、オンは、ＳＷの端子間の電気的接続がされた状態である。また、オフは、ＳＷの端子間の電気的接続がされていない状態である。
【００１７】
セルＣＥ１及びＣＥ２の各々は、例えば、リチウムイオン電池のセルである。セルＣＥ１とセルＣＥ２とは、同じ充放電特性を持つことを目指して作成されている。しかしながら、セルＣＥ１の蓄電量とセルＣＥ２の蓄電量とは、温度や湿度等の動作環境や製造誤差等によりばらつきが生じ得る。
【００１８】
インバータ１１６ａは、入力された制御信号を、ＳＷに入力された制御信号とは逆の動作を行わせる制御信号（以下、「逆の制御信号」という。）に変換し、出力する。ここで、逆の制御信号は、入力制御信号が各ＳＷをオンにするものであれば、各ＳＷをオフにする制御信号である。また、逆の制御信号は、入力制御信号が各ＳＷをオフにするものであれば、各ＳＷをオンにする制御信号である。
【００１９】
ＳＷ１１１ａ、１１２ａ、１１３ａ及び１１４ａの各々は、制御部１０６から入力された制御信号に従い、各ＳＷの両端子間のオン又はオフを行う。ＳＷ１１１ａ、１１２ａ、１１３ａ及び１１４ａの各々は、例えば、電界効果トランジスタを備える。そして、電界効果トランジスタのゲートに制御部１０６から印加される制御信号の切替えにより、各ＳＷの備える両端子のそれぞれに接続されたソースとドレインの間を、導通又は絶縁させる。
【００２０】
制御部１０６は、二次電池１０１が負荷に対して電力を供給する場合には、ＳＷ１１２ａ及び１１４ａに対してこれらのＳＷをオンにする制御信号を送付する。当該制御信号は、インバータ１１６ａにより、ＳＷに逆の制御信号に変換される。従い、ＳＷ１１１ａ及び１１３ａへは、これらのＳＷをオフにする制御信号が送付される。
【００２１】
その結果、ＳＷ１１２ａ及び１１４ａはオンに、ＳＷ１１１ａ及び１１３ａはオフになる。その結果、図１に表す二次電池は、後述の図２に表す接続状態になる。そして、直列に接続されたセルＣＥ１及びＣＥ２が負荷５０１に対して電力を供給する。
【００２２】
一方、制御部１０６は、セルＣＥ１とセルＣＥ２とのセルバランスを調整する場合は、ＳＷ１１２ａ及び１１４ａに対し、これらのＳＷをオフにする制御信号を送付する。その場合、ＳＷ１１１ａ及び１１３ａに対しては、これらのＳＷをオンにする制御信号が送付される。その結果、図１に表す二次電池は、後述の図３に表す接続状態になる。そして、後述のように、セルＣＥ１とセルＣＥ２との間の出力電圧の調整が行われる。
【００２３】
なお、インピーダンス素子１１５ａ及び１１７ａの各々は、セルＣＥ１とセルＣＥ２とを図３に表す接続状態にした場合に、セルＣＥ１及びＣＥ２のうち出力電圧の高い方から低い方へ流れる電流が過大になるのを防ぐ目的で設置される。インピーダンス素子１１５ａ及び１１７ａの各々は、例えば、抵抗、インダクタ、又は、抵抗とインダクタとの組合せである。インピーダンス素子１１５ａ及び１１７ａの各々のインピーダンスは、例えば、互いに出力電圧の異なるセルＣＥ１とセルＣＥ２とを並列接続し、流れる電流値を測定することにより定める。なお、インピーダンス素子１１５ａ及び１１７ａのうちの一方は省略することもできる。また、例えば、セルＣＥ１及びセルＣＥ２の内部抵抗が大きい場合等には、インピーダンス素子１１５ａ及び１１７ａの両方を省略することができる場合がある。
【００２４】
図２は、図１において、ＳＷ１１２ａ及び１１４ａがオン、ＳＷ１１１ａ及び１１３ａがオフの場合の、電気的接続状態を表す図である。図２においては、オンのＳＷは配線として記述されている。また、図２においては、オフのＳＷや、接続に関係しない配線は省略して示してある。
【００２５】
図２に表す接続状態では、直列に接続されたセルＣＥ１及びＣＥ２から負荷５０１に対して、電力が供給される。
【００２６】
図３は、ＳＷ１１２ａ及び１１４ａがオフ、ＳＷ１１１ａ及び１１３ａがオンの場合の、電気的接続状態を表す図である。図３においては、オンのＳＷは配線として記述されている。また、図３においては、オフのＳＷや、接続に関係しない配線や負荷５０１は省略して示してある。
【００２７】
図３に表す接続状態では、セルＣＥ１の正極はセルＣＥ２の正極に、セルＣＥ１の負極はセルＣＥ２の負極に接続されている。当該接続状態では、セルＣＥ１及びＣＥ２のうちの出力電圧が高い方から、出力電圧の低い方への充電が行われる。前記供給は、セルＣＥ１の出力電圧とセルＣＥ２の出力電圧とがほぼ等しくなるまで行われ得る。当該充電により、セルＣＥ１とセルＣＥ２とのセルバランスの調整が行われる。
［効果］
本実施形態の二次電池は、二つのセルを並列接続させることにより、出力電圧の高い方のセルから、低い方のセルへの、電力の供給を行わせる。そのため、前記二次電池は、二つのセルの出力電圧を近づけ得る。従い、前記二次電池は、前記二つのセルの蓄電量を近づける得る。すなわち、前記二次電池は、二つのセルとのセルバランスの調整を行い得る。
【００２８】
さらに、前記二次電池は、特許文献１が開示する方法のように前記、二次電池内に、電圧保持装置を備える必要がない。そのため、前記二次電池は、電圧保持装置の寿命によりセルバランスの調整が行えなくなることはない。
【００２９】
さらに、前記二次電池は、特許文献２及び３が開示する方法のように、電池外部の直流電源を必要としない。そのため、前記二次電池は、電池外部の直流電源を利用できない場合にも、二つのセル間のセルバランスの調整を行い得る。
＜第二実施形態＞
第二実施形態は、三つ以上のセルを有する二次電池についての実施形態である。
［構成と動作］
図４は、第三実施形態の二次電池の例である二次電池１０１ａの構成を表す概念図である。
【００３０】
二次電池１０１ａは、負荷５０１に電力を供給するための二次電池である。
【００３１】
二次電池１０１ａは、制御部１０６と、ＳＷ１１１ａ乃至１１１ｆ、１１２ａ乃至１１２ｆ、１１３ａ乃至１１３ｆ及び１１４ａと、インバータ１１６ａ乃至１１６ｆと、セルＣＥ１乃至ＣＥ７とを備える。二次電池１０１ａは、さらに、インピーダンス素子１１５ａ乃至１１５ｆ及び１１７ａ乃至１１７ｆを備える。
【００３２】
なお、図１に表す経路のうち破線で表した経路は、制御部１０６から各ＳＷに送られるＳＷをオン又はオフする制御信号の経路である。
【００３３】
インバータ１１６ａ乃至１１６ｆの各々は、入力された制御信号を、ＳＷに逆の制御信号に変換し、出力する。ここで、逆の制御信号については、第一実施形態の説明において説明した通りである。
【００３４】
ＳＷ１１１ａ乃至１１１ｆ、１１２ａ乃至１１２ｆ、１１３ａ乃至１１３ｆ及び１１４ａの各々は、制御部１０６から直接又は対応するインバータを介して入力された制御信号に従い、各ＳＷが備える両端子間のオン又はオフを行う。ＳＷ１１１ａ乃至１１１ｆ、１１２ａ乃至１１２ｆ、１１３ａ乃至１１３ｆ及び１１４ａの各々は、例えば、電界効果トランジスタである。
【００３５】
制御部１０６は、二次電池１０１が負荷５０１に対して電力を供給する場合は、ポートＡ乃至Ｇの各々から、ＳＷ１１２ａ乃至１１２ｆ及び１１４ａの各々に対して、これらのＳＷをオンにする制御信号を送付する。当該制御信号は、インバータ１１６ａ乃至１１６ｆの各々により、逆の制御信号に変換されている。従い、ＳＷ１１１ａ乃至１１１ｆ及び１１３ａ乃至１１３ｆへは、これらのＳＷをオフにする制御信号が入力される。
【００３６】
その結果、ＳＷ１１２ａ乃至１１２ｆ及び１１４ａはオンに、ＳＷ１１１ａ乃至１１１ｆ及び１１３ａ乃至１１３ｆはオフになる。そして、図４に表す二次電池１０１ａは、後述の図５に表す接続状態になる。直列に接続されたセルＣＥ１乃至ＣＥ７は、負荷５０１に対して電力を供給する。
【００３７】
一方、制御部１０６は、各セルのセルバランスを調整する場合は、以下に説明する動作を行う。
【００３８】
制御部１０６は、まず、ポートＧからＳＷをオフにする制御信号をＳＷ１１４ａに対して送付する。当該制御信号により、ＳＷ１１４ａはオフになる。
【００３９】
次に、制御部１０６は、また、ポートＢ乃至Ｆから、ＳＷ１１１ｂ乃至１１１ｆ、及び、１１３ｂ乃至１１３ｆに対し、これらのＳＷをオフにする制御信号を送付する。その場合、ＳＷ１１２ｂ乃至１１２ｆには、これらのＳＷをオンにする制御信号が送付される。
【００４０】
制御部１０６は、また、ポートＡから、ＳＷ１１１ａ及び１１３ａに対し、これらのＳＷをオンにする制御信号を送付する。その場合、ＳＷ１１２ａには、ＳＷ１１２ａをオフにする制御信号が入力される。
【００４１】
その結果、図４に表す二次電池１０１ａは、後述の図６（ａ）に表す接続状態になる。そして、セルＣＥ１とセルＣＥ２との間の出力電圧の調整が行われる。
【００４２】
次に、制御部１０６は、また、ポートＡ及びＣ乃至Ｆから、ＳＷ１１１ａ及びＳＷ１１１ｃ乃至１１１ｆ、及び、１１３ａ及び１１３ｃ乃至１１３ｆに対し、これらのＳＷをオフにする制御信号を送付する。その場合、ＳＷ１１２ａ及びＳＷ１１２ｃ乃至１１２ｆには、これらのＳＷをオンにする制御信号が送付される。
【００４３】
制御部１０６は、また、ポートＢから、ＳＷ１１１ｂ及び１１３ｂに対し、これらのＳＷをオンにする制御信号を送付する。その場合、ＳＷ１１２ｂには、ＳＷ１１２ｂをオフにする制御信号が送付される。
【００４４】
その結果、図４に表す二次電池１０１ａは、後述の図６（ｂ）に表す接続状態になる。そして、ＣＥ２とセルＣＥ３との間の出力電圧の調整が行われる。
【００４５】
次に、制御部１０６は、ポートＡ、Ｂ及びＤ乃至Ｆから、ＳＷ１１１ａ、１１１ｂ及びＳＷ１１１ｄ乃至１１１ｆ、及び、１１３ａ、１１３ｂ及び１１３ｄ乃至１１３ｆに対し、これらのＳＷをオフにする制御信号を送付する。その場合、ＳＷ１１２ａ、１１２ｂ及びＳＷ１１２ｄ乃至１１２ｆには、これらのＳＷをオンにする制御信号が送付される。
【００４６】
制御部１０６は、また、ポートＣから、ＳＷ１１１ｃ及び１１３ｃに対し、これらのＳＷをオンにする制御信号を送付する。その場合、ＳＷ１１２ｃには、ＳＷ１１２ｃをオフにする制御信号が送付される。
【００４７】
その結果、図４に表す二次電池１０１ａは、後述の図６（ｃ）に表す接続状態になる。そして、セルＣＥ３とセルＣＥ４との間の出力電圧の調整が行われる。
【００４８】
次に、制御部１０６は、ポートＡ乃至Ｃ及びＥ、Ｆから、ＳＷ１１１ａ乃至１１１ｃ、ＳＷ１１１ｅ、１１１ｆ、及び、１１３ａ乃至１１３ｃ、１１３ｅ及び１１３ｆに対し、これらのＳＷをオフにする制御信号を送付する。その場合、ＳＷ１１２ａ乃至１１２ｃ、ＳＷ１１２ｅ及び１１２ｆには、これらのＳＷをオンにする制御信号が送付される。
【００４９】
制御部１０６は、また、ポートＤから、ＳＷ１１１ｄ及び１１３ｄに対し、これらのＳＷをオンにする制御信号を送付する。その場合、ＳＷ１１２ｄには、ＳＷ１１２ｄをオフにする制御信号が送付される。
【００５０】
その結果、図４に表す二次電池１０１ａは、後述の図６（ｄ）に表す接続状態になる。そして、セルＣＥ４とセルＣＥ５との間の出力電圧の調整が行われる。
【００５１】
次に、制御部１０６は、ポートＡ乃至Ｄ及びＦから、ＳＷ１１１ａ乃至１１１ｄ、１１１ｆ、及び、１１３ａ乃至１１３ｄ及び１１３ｆに対し、これらのＳＷをオフにする制御信号を送付する。その場合、ＳＷ１１２ａ乃至１１２ｄ及び１１２ｆには、これらのＳＷをオンにする制御信号が送付される。
【００５２】
制御部１０６は、また、ポートＥから、ＳＷ１１１ｅ及び１１３ｅに対し、これらのＳＷをオンにする制御信号を送付する。その場合、ＳＷ１１２ｅには、ＳＷ１１２ｅをオフにする制御信号が送付される。
【００５３】
その結果、図４に表す二次電池１０１ａは、後述の図６（ｅ）に表す接続状態になる。そして、セルＣＥ５とセルＣＥ６との間の出力電圧の調整が行われる。
【００５４】
次に、制御部１０６は、ポートＡ乃至Ｅから、ＳＷ１１１ａ乃至１１１ｅ、及び、１１３ａ乃至１１３ｅに対し、これらのＳＷをオフにする制御信号を送付する。その場合、ＳＷ１１２ａ乃至１１２ｅには、これらのＳＷをオンにする制御信号が送付される。
【００５５】
制御部１０６は、また、ポートＦから、ＳＷ１１１ｆ及び１１３ｆに対し、これらのＳＷをオンにする制御信号を送付する。その場合、ＳＷ１１２ｆには、ＳＷ１１２ｆをオフにする制御信号が送付される。
【００５６】
その結果、図４に表す二次電池１０１ａは、後述の図６（ｆ）に表す接続状態になる。そして、セルＣＥ６とセルＣＥ７との間の出力電圧の調整が行われる。
【００５７】
なお、インピーダンス素子１１５ａ乃至１１５ａ及び１１７ａ乃至１１７ｆの各々は、後述の図６に表すように二つのセルを並列接続させた場合に、出力電圧の高いセルから低いセルに流れる電流が過大になるのを防ぐ目的で設置される。インピーダンス素子１１５ａ乃至１１５ａ及び１１７ａ乃至１１７ｆの各々は、例えば、抵抗、インダクタ、又は、抵抗とインダクタとの組合せである。インピーダンス素子１１５ａ乃至１１５ａ及び１１７ａ乃至１１７ｆの各々のインピーダンスは、例えば、互いに出力電圧の異なる二つのセルを並列接続させ、流れる電流値を測定することにより定める。なお、インピーダンス素子１１５ａ乃至１１５ａとインピーダンス素子１１７ａ乃至１１７ｆとのうちの一方は省略することもできる。また、例えば、各セルの内部抵抗が大きい場合等には、インピーダンス素子１１５ａ乃至１１５ａとインピーダンス素子１１７ａ乃至１１７ｆとのうちの両方を省略することができる場合もある。
【００５８】
図５は、図４に表す制御部１０６から、ＳＷ１１２ａ乃至１１２ｆ及び１１４ａに対して、これらのＳＷをオンにする制御信号が、送付された場合の各セル及び負荷５０１の接続状態を表す概念図である。この状態において、ＳＷ１１１ａ乃至１１１ｆ及び１１３ａ乃至１１３ｆに対して、これらのＳＷをオフにする制御信号が送付されている。
図５においては、オンのＳＷは配線として記述されている。また、図５においては、オフのＳＷ並びに接続に関係しない配線及びセルは記述を省略してある。
【００５９】
図５に表す状態では、直列に接続されたセルＣＥ１乃至ＣＥ７が、負荷５０１に対して電力を供給し得る。
【００６０】
図６（ａ）乃至（ｆ）は、制御部１０６が、ＳＷ１１２ｎ（ｎはａ乃至ｆの各々）に対し、ＳＷ１１２ｎをオフにする制御信号を送付した場合の、セル間の接続状態を表す概念図である。この状態において、ＳＷ１１１ｎとＳＷ１１３ｎに対しては、制御部１０６から、これらのＳＷをオンにする制御信号が送付されている。また制御部１０６は前記上述のｎのＳＷ１１２ｎ以外のＳＷ１１２ｎに対しては、ＳＷ１１２ｎをオンにする制御信号を送付しているものとする。その場合、上述のｎのＳＷ１１１ｎ以外のＳＷ１１１ｎ、及び、上述のｎのＳＷ１１３ｎ以外のＳＷ１１３ｎに対しては、それらのＳＷをオフにする制御信号が送付されている。
【００６１】
なお、図６（ａ）乃至（ｆ）は、この順に、ｎがａ乃至ｆの場合に相当する。
【００６２】
図６（ａ）の状態では、セルＣＥ１の正極はセルＣＥ２の正極と、セルＣＥ１の負極はセルＣＥ２の負極と、それぞれ、接続されている。これにより、セルＣＥ１及びセルＣＥ２のうちの出力電圧が高い方から低い方への充電が行われる。そのため、セルＣＥ１の出力電圧とセルＣＥ２の出力電圧は、時間の経過にともない、互いに近づく。すなわち、図６（ａ）に表す状態では、セルＣＥ１とセルＣＥ２との間の、出力電圧の調整が行われる。
【００６３】
図６（ｂ）の状態では、セルＣＥ２の正極はセルＣＥ３の正極と、セルＣＥ２の負極はセルＣＥ３の負極と、それぞれ、接続されている。これにより、セルＣＥ２及びセルＣＥ３のうちの出力電圧が高い方から低い方への充電が行われる。そのため、セルＣＥ２の出力電圧とセルＣＥ３の出力電圧は、時間の経過にともない、互いに近づく。すなわち、図６（ｂ）に表す状態では、セルＣＥ２とセルＣＥ３との間の、出力電圧の調整が行われる。
【００６４】
図６（ｃ）の状態では、セルＣＥ３の正極はセルＣＥ４の正極と、セルＣＥ３の負極はセルＣＥ４の負極と、それぞれ、接続されている。これにより、セルＣＥ３及びセルＣＥ４のうちの出力電圧が高い方から低い方への充電が行われる。そのため、セルＣＥ３の出力電圧とセルＣＥ４の出力電圧は、時間の経過にともない、互いに近づく。すなわち、図６（ｃ）に表す状態では、セルＣＥ３とセルＣＥ４との間の、出力電圧の調整が行われる。
【００６５】
図６（ｄ）の状態では、セルＣＥ４の正極はセルＣＥ５の正極と、セルＣＥ４の負極はセルＣＥ５の負極と、それぞれ、接続されている。これにより、セルＣＥ４及びセルＣＥ５のうちの出力電圧が高い方から低い方への充電が行われる。そのため、セルＣＥ４の出力電圧とセルＣＥ５の出力電圧は、時間の経過にともない、互いに近づく。すなわち、図６（ｄ）に表す状態では、セルＣＥ４とセルＣＥ５との間の、出力電圧の調整が行われる。
【００６６】
図６（ｅ）の状態では、セルＣＥ５の正極はセルＣＥ６の正極と、セルＣＥ５の負極はセルＣＥ６の負極と、それぞれ、接続されている。これにより、セルＣＥ５及びセルＣＥ６のうちの出力電圧が高い方から低い方への充電が行われる。そのため、セルＣＥ５の出力電圧とセルＣＥ６の出力電圧は、時間の経過にともない、互いに近づく。すなわち、図６（ｅ）に表す状態では、セルＣＥ５とセルＣＥ６との間の、出力電圧の調整が行われる。
【００６７】
図６（ｆ）の状態では、セルＣＥ６の正極はセルＣＥ７の正極と、セルＣＥ６の負極はセルＣＥ７の負極と、それぞれ、接続されている。これにより、セルＣＥ６及びセルＣＥ７のうちの出力電圧が高い方から低い方への充電が行われる。そのため、セルＣＥ６の出力電圧とセルＣＥ７の出力電圧は、時間の経過にともない、互いに近づく。すなわち、図６（ｆ）に表す状態では、セルＣＥ６とセルＣＥ７との間の、出力電圧の調整が行われる。
［処理フロー例］
図７は、図４に表す二次電池１０１ａの制御部１０６が行う、セルバランス調整処理の処理フロー例（その１）を表す概念図である。
【００６８】
制御部１０６は、例えば外部からの開始情報の入力等により、図７に表す処理を開始する。
【００６９】
そして、制御部１０６は、Ｓ１０１の処理として、図４に表すポートＧより、ＳＷ１１４ａに対しＳＷ１１４ａをオフにする制御信号を送付する。
【００７０】
そして、制御部１０６は、Ｓ１０２の処理として、ｎにａを代入する。ここで、ｎは、処理対象のＳＷ１１１ｎが、図４に表すＳＷ１１１ａ乃至１１１ｆのうちのいずれかかを特定する添え字ｎである。上記と共に、ｎは、処理対象のＳＷ１１２ｎが、図４に表すＳＷ１１２ａ乃至１１２ｆのうちのいずれかかを特定する添え字ｎでもある。上記と共に、ｎは、処理対象のＳＷ１１３ｎが、図４に表すＳＷ１１３ａ乃至１１３ｆのうちのいずれかかを特定する添え字ｎでもある。
【００７１】
次に、制御部１０６は、Ｓ１０３の処理として、図７に表す処理の開始以降にＳ１０２の処理によりｎにａを代入した回数である回数Ｎを一つ増やす。なお、図７に表す処理の開始時においては、回数Ｎは０に設定されるものとする。回数Ｎは、制御部１０６が備える、図示しない記録部に記録されているものとする。
【００７２】
そして、制御部１０６は、Ｓ１０４の処理として、回数Ｎが閾値Ｔｈ以上かについての判定を行う。ここで、閾値Ｔｈは、Ｓ１０４の処理のために予め設定された、回数Ｎについての閾値である。閾値Ｔｈは、例えば、各セルの出力電圧を測定し、その出力電圧のばらつきが十分に小さくなることが想定される値とする。閾値Ｔｈは、例えば、制御部１０６が備える、図示しない記録部に記録されている。
【００７３】
制御部１０６は、Ｓ１０４の処理による判定結果がｙｅｓの場合は、図７に表す処理を終了する。
【００７４】
一方、制御部１０６は、Ｓ１０４の処理による判定結果がｎｏの場合は、Ｓ１０５の処理を行う。
【００７５】
制御部１０６は、Ｓ１０５の処理を行う場合は、同処理として、ｎがｆであるかについての判定を行う。
【００７６】
制御部１０６は、Ｓ１０５の処理による判定結果がｙｅｓの場合は、Ｓ１０２の処理を再度行う。
【００７７】
一方、制御部１０６は、Ｓ１０５の処理による判定結果がｎｏの場合は、Ｓ１０６の処理を行う。
【００７８】
制御部１０６は、Ｓ１０６の処理を行う場合は、同処理として、最新のｎのＳＷ１１１ｎに対し、ＳＷ１１１ｎをオンにさせる制御信号を送付する。それと同時に、制御部１０６は、同処理として、最新のｎのＳＷ１１１ｎ以外のＳＷ１１１ｎに対し、ＳＷ１１１ｎをオフにさせる制御信号を送付する。
【００７９】
上記により、制御部１０６から、最新のｎのＳＷ１１３ｎに対し、ＳＷ１１３ｎをオンにさせる制御信号が送付される。また、制御部１０６からは、最新のｎ以外のＳＷ１１３ｎに対し、ＳＷ１１３ｎをオフにさせる制御信号が送付される。また、制御部１０６から、最新のｎのＳＷ１１２ｎに対し、ＳＷ１１２ｎをオフにさせる制御信号が送付される。また、制御部１０６からは、最新のｎ以外のＳＷ１１２ｎに対し、ＳＷ１１２ｎをオンにさせる制御信号が送付される。
【００８０】
これらにより、図４に表す二次電池１０１ａは、図６（ａ）乃至（ｆ）のうちのカッコ内の小文字のアルファベットが最新のｎである図が表す接続状態になる。
【００８１】
そして、制御部１０６は、Ｓ１０７の処理として、Ｓ１０６の処理の終了時から時間Ｔ１が経過したかについての判定を行う。ここで、制御部１０６は、図示しないタイマーを利用できることを前提としている。時間Ｔ１は、互いに並列接続された二つのセルのうち、出力電圧の高い方のセルから低い方のセルに充電させる時間である。時間Ｔ１は、例えば、出力電圧の異なる二つのセルを並列接続させた場合に、どのくらいの時間で、両セルの出力電圧が近い値になるかを測定することにより求める。時間Ｔ１は、例えば、制御部１０６が保持する図示しない記録部に記録されている。
【００８２】
制御部１０６は、Ｓ１０７の処理による判定結果がｙｅｓの場合は、Ｓ１０８の処理を行う。
【００８３】
一方、制御部１０６は、Ｓ１０７の処理による判定結果がｎｏの場合は、Ｓ１０７の処理を再度行う。
【００８４】
制御部１０６は、Ｓ１０８の処理を行う場合は、同処理として、ｎを、現時点のｎの次の小文字のアルファベットにする。ここで、次の小文字のアルファベットは、例えば、現時点のｎがａであればｂである。
【００８５】
そして、制御部１０６は、Ｓ１０５の処理を再度行う。
［具体例］
次に、所定のセルの出力電圧が他のセルの出力電圧からずれた場合に、図７に表す処理を行った場合の各セルの出力電圧の変化の、具体的計算例について説明する。
【００８６】
図８乃至図１０は、初期状態においてセルＣＥ１の出力電圧が他のセルの出力電圧とずれた場合の、図７に表す処理を行う際の時間の経過と、セルＣＥ１乃至ＣＥ７の各々の出力電圧との関係（計算結果）を表す表である。
【００８７】
図８乃至図１０に表す時間は、図７に表すＳ１０５の処理を開始した時点で、そのＳ１０５の処理が、図７に表す処理の開始から何回目のものであるかに対応する時間である。言い換えると、図８乃至図１０に表す時間の単位は、図７に表す処理が、Ｓ１０５の処理の開始から、Ｓ１０６、Ｓ１０７及びＳ１０８と進んで、Ｓ１０５の処理を再度行うまでに要する時間である。なお、時間の０は、最初のＳ１０５の開始時を表す。
【００８８】
なお、Ｓ１０５の処理においてｎがｆである場合は、図７に表す処理が終了するまでは、Ｓ１０２乃至Ｓ１０４の処理も行うが、その時間は十分小さく無視できるものとしている。
【００８９】
なお、以下の説明においては、図７のＳ１０７の処理に用いられる時間Ｔ１は十分に大きいことを仮定している。そのため、図７に表すＳ１０６の処理及びＳ１０７の処理により、並列接続（図６）された二つのセルの出力電圧は共に二つのセルの出力電圧の平均値になることを仮定している。
【００９０】
時間０においては、セルＣＥ１の出力電圧は１００である。また、時間０においては、セルＣＥ２乃至ＣＥ７の各々の出力電圧は８０である。ここで、出力電圧の単位は特に特定されないものとする。
【００９１】
時間１の経過までには、図７に表すＳ１０２乃至Ｓ１０８の処理が１回行われている。そして、セルＣＥ１からセルＣＥ２への充電が行われた結果、セルＣＥ１とセルＣＥ２の出力電圧は共に９０になる。
【００９２】
時間２の経過時点までには、図７に表すＳ１０２乃至Ｓ１０８の処理が２回行われている。そして、セルＣＥ２からセルＣＥ３への充電が行われた結果、セルＣＥ２とセルＣＥ３の出力電圧は共に８５になる。
【００９３】
時間３の経過時点までには、図７に表すＳ１０２乃至Ｓ１０８の処理が３回行われている。そして、セルＣＥ３からセルＣＥ４への充電が行われた結果、セルＣＥ３とセルＣＥ４の出力電圧は共に８２．５になる。
【００９４】
時間の経過につれて、同様な処理が行われる結果、各セルの出力電圧の値は次第に近づく。
【００９５】
そして、図１０に表す時間２７７においては、各セルの出力電圧は、少数点第三桁まで同一の値となる。
【００９６】
図１１は、時間の経過にともなう、セル間の出力電圧のばらつき（計算結果）を表す表である。図１１の表における時間の説明は、図８乃至図１０を参照して説明した時間の説明と同じである。
【００９７】
また、図１１に表すばらつきは、セルＣＥ１乃至ＣＥ７の各々の出力電圧の最大値から最小値を引いた値を前記最大値で除した値をパーセント表示したものである。
【００９８】
前記ばらつきは、時間の経過にともない減少する。そして、時間が７において、前記ばらつきは８．２％になる。仮に前記ばらつきの許容範囲を１０％以内とすれば、時間が７以降において、ばらつきは許容範囲に収まる。
【００９９】
第二実施形態の以上の説明においては、二次電池が７つのセルを備える場合について説明した。しかしながら、第二実施形態の二次電池が備えるセルの数は３つ以上の任意の数である。
［効果］
本実施形態の二次電池は、三つ以上のセルから選択した二つのセルを並列接続させることにより、出力電圧の高い方のセルから、低い方のセルへの、充電を行わせる。そのため、前記二次電池は、二つのセルの出力電圧を近づけることができる。従い、前記二次電池は、前記二つのセルの蓄電量を近づけることができる。
【０１００】
第実施形態の二次電池は、上述の並列接続及び充電を、三つ以上のセルから選択した二つのセルの組合せを変えて順次行う。本実施形態の二次電池は、適当な前記組合せを選択することにより、すべてのセルの出力電圧を近づけることができる。従い、前記二次電池は、三つ以上のセルの各々の蓄電量を互いに近づけることができる。すなわち、前記二次電池は、三つ以上のセルのセルバランスの調整を行うことができる。
【０１０１】
図１２は、以上説明した実施形態の制御装置の最小限の構成である制御装置１０６ｘの構成を表すブロック図である。
【０１０２】
制御装置１０６ｘは、第一のスイッチに対し、第一の信号のうち、第一の負極と第二の正極との間を絶縁させる第一の信号を送付する。前記第一の負極は、二次電池の第一のセルの負極である。また、前記第二の正極は、前記二次電池の第二のセルの正極である。また、前記第一のスイッチは、前記第一の信号により、前記第一の負極と前記第二の正極との間を導通及び絶縁させ得る。
【０１０３】
それと共に、制御装置１０６ｘは、第二のスイッチに対し、第二の信号のうち、前記第一の正極と前記第二の正極とを導通させる前記第二の信号を送付する。前記第一の正極は、前記第一のセルの正極である。前記第二のスイッチは、前記第二の信号により、第一の正極と前記第二の正極との間を導通及び絶縁させ得る。
【０１０４】
それと共に、制御装置１０６ｘは、第三のスイッチに対し、前記第一の負極と第二の負極とを導通させる第三の信号を送付する。前記第二の負極は、前記第二のセルの負極である。前記第三のスイッチは、前記第三の信号により、前記第二の負極と前記第一の負極との間を導通及び絶縁させ得る。
【０１０５】
制御装置１０６ｘが、前記第一のスイッチに対し、前記第一の負極と前記第二の正極との間を絶縁させる第一の信号を送付することにより、前記第一の負極と前記第二の正極との間が絶縁される。また、制御装置１０６ｘが、前記第二のスイッチに対し前記第一の正極と前記第二の正極とを導通させる前記第二の信号を送付することにより、前記第一の正極と前記第二の正極とが導通される。また、制御装置１０６ｘが、前記第三のスイッチに対し、前記第一の負極と第二の負極とを導通させる第三の信号を送付することにより、前記第一の負極と第二の負極とが導通される。
【０１０６】
これらにより、前記第一のセルと前記第二のセルとは並列接続された状態になる。そのため、前記第一のセルと前記第二のセルとのうち出力電圧が高い方から低い方への充電が行われる。それにより、前記第一のセルの蓄電量と前記第二のセルの蓄電量とは、互いに近づく。すなわち、制御装置１０６ｘは、前記第一のセルの蓄電量と前記第二のセルとのセルバランスの調整を行い得る。
【０１０７】
さらに、制御装置１０６ｘは、特許文献１が開示する方法のように、二次電池内に、電圧保持装置を備える必要がない。そのため、電圧保持装置の寿命によりセルバランスの調整が行えなくなることはない。
【０１０８】
さらに、制御装置１０６ｘは、特許文献２及び３が開示する方法のように、電池外部の直流電源を必要としない。そのため、制御装置１０６ｘは、電池外部の直流電源を利用できない場合にも、前記第一のセルと前記第二のセルとの間のセルバランスの調整を行うことができる。
【０１０９】
そのため、制御装置１０６ｘは、前記構成により、［発明の効果］の項に記載した効果を奏する。
【０１１０】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１１１】
また、前記の実施形態の一部又は全部は、以下の付記のようにも記述され得るが、以下には限られない。
【０１１２】
（付記Ａ１）
第一の信号により、二次電池の第一のセルの負極である第一の負極と、前記二次電池の第二のセルの正極である第二の正極との間を導通及び絶縁させ得る、第一のスイッチに対し、前記第一の負極と前記第二の正極との間を絶縁させる前記第一の信号を送付すると共に、
第二の信号により、前記第一のセルの正極である第一の正極と前記第二の正極との間を導通及び絶縁させ得る第二のスイッチに対し、前記第一の正極と前記第二の正極とを導通させる前記第二の信号を送付すると共に、
第三の信号により、前記第二のセルの負極である第二の負極と前記第一の負極との間を導通及び絶縁させ得る、第三のスイッチに対し、前記第一の負極と前記第二の負極とを導通させる前記第三の信号を送付する、制御装置。
【０１１３】
（付記Ａ２）
前記第一の負極と前記第一の正極との間を絶縁させる前記第一の信号と、前記第一の正極と前記第二の正極とを導通させる前記第二の信号と、前記第一の負極と前記第二の負極とを導通させる前記第三の信号とを、略同時に送付する、付記Ａ１に記載された制御装置。
【０１１４】
（付記Ａ３）
前記第二の信号と前記第三の信号とが共通である、付記Ａ１又は付記Ａ２に記載された制御装置。
【０１１５】
（付記Ａ４）
前記第二の信号又は前記第三の信号の前記第一の信号への変換を行い、前記変換を行った信号を前記第一のスイッチに入力する変換部を備える、付記Ａ１乃至付記Ａ３のうちのいずれか一に記載された制御装置。
【０１１６】
（付記Ａ５）
前記第一の負極と前記第一の正極との間を導通させる前記第一の信号を前記第一のスイッチに送付すると共に、前記第一の正極と前記第二の正極とを切断させる前記第二の信号を前記第二のスイッチに送付すると共に、前記第一の負極と前記第二の負極とを導通させる前記第三の信号を前記第三のスイッチに送付する、付記Ａ１乃至付記Ａ４のうちのいずれか一に記載された制御装置。
【０１１７】
（付記Ａ６）
前記第一の負極と前記第一の正極との間を導通させる前記第一の信号と、前記第一の正極と前記第二の正極とを絶縁させる前記第二の信号と、前記第一の負極と前記第二の負極とを絶縁させる前記第三の信号とを、略同時に送付する、付記Ａ５に記載された制御装置。
【０１１８】
（付記Ａ７）
前記第一のセルと前記第二のセルとが、前記二次電池の備える三個以上のセルから選択されたものである、付記Ａ１乃至付記Ａ６のうちのいずれか一に記載された制御装置。
【０１１９】
（付記Ａ８）
前記二次電池の備える三個以上のセルからの、前記第一のセルと前記第二のセルとの選択を行う、付記Ａ７に記載された制御装置。
【０１２０】
（付記Ａ９）
前記三個以上のセルから選択した、前記第一のセルと前記第二のセルとの第一の組合せと、前記第一のセルと前記第二のセルとの第二の組合せと、の各々について、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、付記Ａ８に記載された制御装置。
【０１２１】
（付記Ａ１０）
前記三個以上のセルから選択した、接続経路上において隣り合う前記第一のセルと前記第二のセルとの組合せの各々について、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、付記Ａ８又は付記Ａ９に記載された制御装置。
【０１２２】
（付記Ａ１１）
前記三個以上のセルから選択した、接続経路上において隣り合う前記第一のセルと前記第二のセルとのすべての組合せの各々について、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、付記Ａ８又は付記Ａ９に記載された制御装置。
【０１２３】
（付記Ａ１２）
前記三個以上のセルから選択した、接続経路上において最も離れた前記第一のセルと前記第二のセルとの組合せについて、前記第一の負極と前記第一の正極との間を絶縁させる前記第一の信号、前記第一の正極と前記第二の正極とを導通させる前記第二の信号、及び、前記第一の負極と前記第二の負極とを導通させる前記第三の信号を送付する、付記Ａ８又は付記Ａ９に記載された制御装置。
【０１２４】
（付記Ｂ１）
付記Ａ１乃至付記Ａ１２のうちのいずれか一に記載された制御装置と、前記第一のスイッチと、前記第二のスイッチと、前記第三のスイッチとを備える、接続装置。
【０１２５】
（付記Ｃ１）
付記Ｂ１に記載された接続装置と、前記第一のセルと、前記第二のセルとを備える、二次電池。
【０１２６】
（付記Ｄ１）
第一の信号により、二次電池の第一のセルの負極である第一の負極と、前記二次電池の第二のセルの正極である第二の正極との間を導通及び絶縁させ得る、第一のスイッチに対し、前記第一の負極と前記第二の正極との間を絶縁させる前記第一の信号を送付すると共に、
第二の信号により、前記第一のセルの正極である第一の正極と前記第二の正極との間を導通及び絶縁させ得る第二のスイッチに対し、前記第一の正極と前記第二の正極とを導通させる前記第二の信号を送付すると共に、
第三の信号により、前記第二のセルの負極である第二の負極と前記第一の負極との間を導通及び絶縁させ得る、第三のスイッチに対し、前記第一の負極と前記第二の負極とを導通させる前記第三の信号を送付する、制御方法。
【０１２７】
（付記Ｅ１）
第一の信号により、二次電池の第一のセルの負極である第一の負極と、前記二次電池の第二のセルの正極である第二の正極との間を導通及び絶縁させ得る、第一のスイッチに対し、前記第一の負極と前記第二の正極との間を絶縁させる前記第一の信号を送付すると共に、
第二の信号により、前記第一のセルの正極である第一の正極と前記第二の正極との間を導通及び絶縁させ得る第二のスイッチに対し、前記第一の正極と前記第二の正極とを導通させる前記第二の信号を送付すると共に、
第三の信号により、前記第二のセルの負極である第二の負極と前記第一の負極との間を導通及び絶縁させ得る、第三のスイッチに対し、前記第一の負極と前記第二の負極とを導通させる前記第三の信号を送付する、
処理をコンピュータに実行させる制御プログラム。
【符号の説明】
【０１２８】
１０１、１０１ａ    二次電池
１０６    制御部
１０６ｘ    制御装置
１１１ａ、１１１ｂ、１１１ｃ、１１１ｄ、１１１ｅ、１１１ｆ、１１２ａ、１１２ｂ、１１２ｃ、１１２ｄ、１１２ｅ、１１２ｆ、１１３ａ、１１３ｂ、１１３ｃ、１１３ｄ、１１３ｅ、１１３ｆ、１１４ａ    ＳＷ
１１６ａ、１１６ｂ、１１６ｃ、１１６ｄ、１１６ｅ、１１６ｆ    インバータ
５０１    負荷
Ａ、Ｂ、Ｃ、Ｄ、Ｅ、Ｆ    ポート
ＣＥ１、ＣＥ２、ＣＥ３、ＣＥ４、ＣＥ５、ＣＥ６、ＣＥ７    セル
【図１】
2018182961.tif 000003
【図２】
2018182961.tif 000004
【図３】
2018182961.tif 000005
【図４】
2018182961.tif 000006
【図５】
2018182961.tif 000007
【図６】
2018182961.tif 000008
【図７】
2018182961.tif 000009
【図８】
2018182961.tif 000010
【図９】
2018182961.tif 000011
【図１０】
2018182961.tif 000012
【図１１】
2018182961.tif 000013
【図１２】
2018182961.tif 000014